Podtech/llm-jp-corpus-v4-ja_patent huggingface dataset:
(57)【要約】      （修正有）【課題】地味と少種類に限られた海鮮（雲丹）の詰め容器を、装飾を込めた模様編みを呈した斬新な詰め容器に替え、一般層を対称にし販売促進の誘因を導く。【解決手段】複数の異なる模様編みを呈した詰めかご容器１、１ａ、１ｂ、１ｃを設け、断熱素材を用い設けた容器並置箱２に並置に備えた装飾詰めかご容器。【選択図】図１
0003124585.tif 000002
【実用新案登録請求の範囲】
【請求項１】
複数の異なる模様編みを呈した、詰めかご容器（１）、（１ａ）、（１ｂ）、（１ｃ）を設け、断熱素材を用い設けた容器並置箱（２）に並置に備えた装飾詰めかご容器。
【考案の詳細な説明】
【技術の分野】
【０００１】  本考案は、複数の異なる模様編みを呈した詰めかご容器１、１ａ、１ｂ、１ｃを設け、断熱素材を用い設けた容器並置箱２に並置に備えた装飾詰めかご容器に関する。
【背景の技術】
【０００２】  現在、海鮮（雲丹）の販売に使用されている詰め容器は、平面縁台、発泡トレイ、平ざる等の少種類に限られた装飾性の少ない詰め容器が一般的である。よって、海鮮（雲丹）と云う名称価値においてのみ消費されている。また、消費者層も限られ一般層に欠ける。
【考案が解決しようとする課題】
【０００３】  地味と少種類に限られた海鮮（雲丹）の詰め容器を、装飾を込めた模様編みを呈した斬新な詰め容器に替え、一般層を対称にし販売促進の誘因を導く前記の欠点を解決しようとする。
【考案の開示】
【課題を解決しようとする手段】
【０００４】  １  竹素材を用い、複数の異なる模様編みを呈した詰めかご容器１、１ａ、１ｂ、１ｃ等を設け備えている。
２  詰めかご容器１、１ａ、１ｂ、１ｃの各内体に、弾性と吸水性を共に兼ね備えた盛り受け敷材７、７ａ、７ｂ、７ｃを敷設している。
３  断熱素材を用い、詰めかご容器１、１ａ、１ｂ、１ｃを並置する内箱３を設けると共に、内箱３全体を防護する外箱４を設け、外箱４に内箱３とを合置一体を有す容器並置箱２を設け備えている。
４  内箱３の内体底面の中央部より、並置する詰めかご容器１、１ａ、１ｂ、１ｃの横揺れを防止する十字枠体５を立設している。
５  十字枠体５の各内体の底面部に詰めかご容器１、１ａ、１ｂ、１ｃの外側底面周位帯を固定する凹状を有す窪みの並置穴６、６ａ、６ｂ、６ｃを設けている。
６  容器並置箱２の上側周位帯に、透明素材を用いた容器並置箱蓋８を冠着固定している。
【考案の効果】
【０００５】  上記の様に、本考案は一つの容器並置箱に、竹素材を用い複数の異なる模様編みを呈した詰めかご容器を使用することにより、ファッション性とデザート感を表わし、海鮮（雲丹）は元より、詰めかご容器にも目を向かせ特に若年層の購買力を誘い、販売促進の誘因を図る。
【考案を実施するための最良の形態】
【０００６】  複数の異なる海鮮（雲丹）の詰めかご容器を模様編みに設け、内体に海鮮（雲丹）を盛り受ける、弾性と吸水性を兼ねた盛り受け敷材を敷設に備えている。又、異なる詰めかご容器を並置する容器並置箱を、断熱素材を用い内箱を設け、内体中央部より複数の詰めかご容器の横揺れを防止する十字枠体を立設すると共に、十字枠体の各内体の底面部に詰めかご容器の固定を図る凹状を有す窪みの並置穴お設けている。また、内箱の全体を防護する外箱を設け、外箱に内箱を合置一体に備え、各並置穴に詰めかご容器を並置に備え、容器並置箱の上部に透明素材を用い、脱着自在を有す容器並置箱蓋を冠着固定に備えている。
【実施例】
【０００７】  １、１ａ、１ｂ、１ｃは詰めかご容器で、竹素材を用い異なる模様編みを呈し、内体に盛り受け敷材７、７ａ、７ｂ、７ｃを敷設している。
２は容器並置箱で、外箱４に内箱３を合置一体に設けてうる。
３は内箱で、断熱素材を用い内体の中央部より十字枠体５を立設すると共に、十字枠体５の各内体の底面部に並置穴６、６ａ、６ｂ、６ｃを設けている。
４は外箱で、合成樹脂素材を用い内箱３全体を防護する合置一体に設けている。
５は十字枠体で、詰めざる容器１、１ａ、１ｂ、１ｃの横揺れの防止を図かり内箱３の中央部に立設している。
６、６ａ、６ｂ、６ｃは並置穴で、内箱の中央部に立設した十字枠体５の各内体の底面部に設けている。
７、７ａ、７ｂ、７ｃは盛り受け敷材で、弾性と吸水性を共に兼ね備え、詰めかご容器１、１ａ、１ｂ、１ｃの内体に敷設に備えている。
８は容器並置箱蓋で、透明素材を用い容器並置箱２の上面周囲に、脱着自在が出来る冠着の固定に備えている。
【図面の簡単な説明】
【０００８】
【図１】  本考案の装飾詰めかご容器の実施例を示す一部切欠断面斜視図。
【図２】  本考案の詰めかご容器の実施例を示す斜視図。
【図３】  本考案の詰めかご容器の実施例を示す斜視図。
【図４】  本考案の詰めかご容器の実施例を示す斜視図。
【図５】  本考案の詰めかご容器の実施例を示す斜視図。
【符号の説明】
【０００９】  １  １ａ、１ｂ、１ｃ  詰めかご容器
２  容器並置箱
３  内箱
４  外箱
５  十字枠体
６  ６ａ、６ｂ、６ｃ  並置穴
７  ７ａ、７ｂ、７ｃ  盛り受け敷材
８  容器並置箱蓋
【図１】
0003124585.tif 000003
【図２】
0003124585.tif 000004
【図３】
0003124585.tif 000005
【図４】
0003124585.tif 000006
【図５】
0003124585.tif 000007
(57)【要約】      （修正有）【課題】従来、歯ブラシで歯を磨いている時は、その場所が制限をうけ、又同時に他の作業を行うことが不可能であったため、これを解決する。【解決手段】口の中に入れ、それを噛むことにより上顎の歯と下顎の歯尚且つ歯の表面と裏面の汚れを同時に除去されるように、板１の表裏に柔軟材料から成り、且つそれぞれの相対する面に凹凸又は刷毛４，５，８，９を並べて設けた構造を有する歯ブラシ。【選択図】図１
0003124586.tif 000002
【実用新案登録請求の範囲】
【請求項１】
柔軟材料から成る物体を、薄い板の表面に複数個設け、同様に裏面にも複数個設け、それらの物体のそれぞれ相対する面に凹凸又は刷毛を設けた歯ブラシ
【考案の詳細な説明】
【技術分野】
【０００１】  本考案は、どんな場所においても、手を使わずに、尚且つ上顎と下顎の歯の表面と裏面の汚れを同時に除去することができる構造を有する歯ブラシに関するものである。
【背景技術】
【０００２】  従来、歯ブラシは、可搬形でコンパクトに設計されており、通常の歯ブラシは上記利点を有することにより、実用上十分であった。【０００３】  しかし、通常の歯ブラシは、歯を磨くとき、特定の場所が必要であり、又それなりの磨く動作が必要であった。本考案はこの特定の場所と動作を皆無にし、歯を磨いている間、どんな場所においても手を他の作業に自由に使えることを特徴とする。従来、歯を磨くときは図３に示す通り柄１４を手に持ち刷毛１５を歯に当てて磨くのが常であった。しかし、歯を磨いている間は、特定の場所が必要であり、又他の作業を同時に行うことは不可能である。従来は上記の通りの欠点がある。【０００４】  歯を磨いている間に特定の場所が必要であり、又それなりの磨く動作が同時に必要であり、この欠点は大きな障害である。【０００５】  従来から、この改善案は存在しなかった。
【考案の開示】
【考案が解決しようとする課題】
【０００６】  解決しようとする問題点は、歯を磨いている間は特定の場所が必要であり、又それなりの歯を磨く作業を同時に行うことが必要となる点である。
【課題を解決するための手段】
【０００７】  この解決案として、図１（ａ）の上面斜視図に示した通り板１の表面に柔軟材料から成る物体２及び物体３を設け、又図１（ｂ）の下面斜視図に示した通り板１の裏面に柔軟材料から成る物体６及び物体７を設ける。この物体２と物体３が相対する面にはそれぞれ凹凸４及び５を設け、物体６と物体７が相対する面にはそれぞれ凹凸８及び９を設ける。この凹凸４及び５と凹凸８及び９の代わりに刷毛を設けても良い。本考案の歯ブラシを使用する際は図２に示した通り口の中に本考案の歯ブラシを入れ、上顎の歯１０と下顎の歯１１をそれぞれ凹凸４と５の間、それぞれ凹凸８及び９の間に挿入されるように噛み込む。そして、矢印Ａ及びＢの方向に複数回顎を動かして噛むことにより上顎と下顎の歯の表面と裏面の汚れを凹凸４，５及び８，９により同時に清掃除去される。歯を磨いている間は特定の場所は必要がなく、又手を使う必要は全く無い。
【考案の効果】
【０００８】  このような構造に改善したから、歯を磨いている間に特定の場所は必要がなく、又手を使う必要が全くなくなった。近来の忙しい時代においては歯を磨く場所が不用となり、又他の作業が同時にできるということは大きな効果がある。
【産業上の利用可能性】
【０００９】通常使用されている歯ブラシに対し、本考案は有利な点が多いため産業上の利用可能性は極めて大きい。
【図面の簡単な説明】
【００１０】
【図１】図１（ａ）は本考案の歯ブラシの上面斜視図である。（請求項１）。図１（ｂ）は本考案の歯ブラシの下面斜視図である。（請求項１）。
【図２】本考案の歯ブラシの使用中の断面図である。（請求項１）
【図３】通常の歯ブラシの正面図である。（請求項１）
【符号の説明】
【００１１】１        板
２        柔軟材料から成る物体
３        柔軟材料から成る物体
４        凹凸または刷毛
５        凹凸または刷毛
６        柔軟材料から成る物体
７        柔軟材料から成る物体
８        凹凸または刷毛
９        凹凸または刷毛
１０      上顎の歯
１１      下顎の歯
１２      上唇
１３      下唇
１４      柄
１５      刷毛
Ａ        上下動方向
Ｂ        上下動方向
【図１】
0003124586.tif 000003
【図２】
0003124586.tif 000004
【図３】
0003124586.tif 000005
(57)【要約】【課題】  ネックレス等の装着中に生じるネックレス等のずれを確実に防止する。【解決手段】  ネックレス等を脱着するための連結具（１）に弾性体吸着加工を行い保持手段とし、連結リング（２）にて装着し連結具（１）の弾性体と肌、衣服等との摩擦力によってネックレスの装着時におけるずれを防止するように構成されているネックレス等のズレ防止連結具を提供する。【選択図】図１
0003124581.tif 000002
【実用新案登録請求の範囲】
【請求項１】
ネックレス、ブレスレット等の装飾チェーンからなる装身具において、前記装飾チェーン吊り下げ式装飾具の連結具に弾性体（シリコン等）皮膜処理した、ズレ防止機能を備えた連結装置。
【考案の詳細な説明】
【技術分野】
【０００１】  本考案は装身具に使用する連結具に関する。
【背景技術】
【０００２】  従来の連結具にはズレ防止機能は無かった。
【考案の開示】
【考案が解決しようといする課題】
【０００３】  ネックレス等の装着中に生じるネックレス等のずれを確実に防止する。
【課題を解決するための手段】
【０００４】  ネックレス等を脱着するための連結具（１）に弾性体吸着加工（４）を行い保持手段とし、連結リング（２）にて装着し連結具（１）の弾性体と肌、衣服等との摩擦力によってネックレスの装着時におけるずれを防止するように構成されているネックレス等のズレ防止連結具を提供する。
【考案の効果】
【０００５】  本考案装置は連結具を兼ねているため、デザインを最優先に求められるアクセサリー分野において、従来からの問題であったずれを防止し快適なアクセサリー生活が得られるようになる。
【考案を実施するための最良の形態】
【０００６】  本新案の連結具（１）の弾性体吸着加工（４）は、外観の変化を最小にとどめるため透明色が望ましい。なお弾性体吸着加工（４）は、表面の摩擦力によってすべり止め効果を発揮するため、吸着加工厚は、薄く設定することが出来る。
【実施例】
【０００７】  ネックレスに本考案装置を装着し、従来からの問題であったずれを防止する効果を確認した。
【産業上の利用可能性】
【０００８】  本考案装置は既存のネックレス等の連結具と容易に交換することにとどまらず、従来部品との差が少ないため容易に美観を損ねることなく、通常商品への標準装備が可能と考える。
【図面の簡単な説明】
【０００９】
【図１】本考案の平面図である。
【図２】本考案の側面図である。
【図３】本考案の断面図である。
【符号の説明】
【００１０】  １  連結具
２  連結リング
３  チェーン
４  弾性体吸着加工部
５  連結具金属部
【図１】
0003124581.tif 000003
【図２】
0003124581.tif 000004
【図３】
0003124581.tif 000005
(57)【要約】      （修正有）【課題】便器のふちの裏側（リム部分）の掃除が容易にでき、効率的にできる掃除用ブラシの提供。【解決手段】便器のふちの裏側（リム部分）は手が届きにくく、目で見えない部分で、掃除がしにくい。そこで、本案の掃除用ブラシは、裏側（リム部分）の掃除を容易にできるように、掃除用ブラシ本体１の先を裏側（リム部分）の溝に沿うようにコ字型に曲げて、それに柄２を取り付けることによって、この課題を解決する。【選択図】図１
0003124589.tif 000002
【実用新案登録請求の範囲】
【請求項１】
掃除用ブラシ本体の先をコ字型に曲げ、それに柄を取り付けた便器のふち裏側（リム部分）の掃除用ブラシ。
【考案の詳細な説明】
【技術分野】
【０００１】  本考案は、便器のふち裏側用ブラシに関する。
【背景技術】
【０００２】  従来の便器のふち裏側の掃除専用ブラシはなく、歯ブラシなどを代用として用いていたが、ふち裏側は、コ字型になっているので掃除が十分に出来得なかつた。
【考案の開示】
【考案が解決しようとする課題】
【０００３】  便器のふちの裏側（リム部分）は手が届きにくく、目で見えない部分で、掃除がしにくい。そこで効率よく掃除できる専用掃除用ブラシが求められていた。
【課題を解決するための手段】
【０００４】  上記の目的を達成するため、便器のふちの裏側（リム部分）の掃除用のブラシとして、図に従いながら以下説明する。
（１）掃除用ブラシ本体１の先をコ字型にし、それに柄２を取り付けて掃除を容易にできるようにしたものである。
【考案の効果】
【０００５】  よって、本考案の掃除用のブラシは、便器のふちの裏側（リム部分）に容易にブラシが届き、目で見えない部分の便器のふちの裏側（リム部分）の掃除を効率よく、容易にできるようになった。
【図面の簡単な説明】
【０００６】
【図１】  本考案の見取り図である。
【図２】  本考案の使用図である。
【符号の説明】
【０００７】  １  ブラシ本体
２  ブラシ柄
３  柄の穴
４  便器のリム部分
【図１】
0003124589.tif 000003
【図２】
0003124589.tif 000004
(57)【要約】【課題】  購買欲求を高め、かつ中古市場に流されにくい対策を施した書籍を提供する。しかも、たとえ中古市場に流れた場合であっても、古本購入者に対しても新本購入者同等に、著者からの追加情報が得られる書籍を提供をする。【解決手段】  著者のウェブサイトにアクセスするための、パスワード指示用乱数表を掲載したことを特徴とする書籍。【選択図】図１
0003124334.tif 000002
【実用新案登録請求の範囲】
【請求項１】
著者のウェブサイトにアクセスするための、パスワードを指示するための乱数表を掲載したことを特徴とする書籍
【考案の詳細な説明】
【技術分野】
【０００１】  本考案は、著者のウェブサイトにアクセスするための、パスワードを指示するための乱数表を掲載したことを特徴とする書籍に関するものである。
【背景技術】
【０００２】  従来、著者が書籍の内容以外の追加情報を読者に提供しようとした場合、おもに書籍の間に、葉書やＦＡＸ送信用の用紙を挿入したり、書籍に著者のホームページアドレスなどを掲載していた。
【考案の開示】
【考案が解決しようとする課題】
【０００３】  これには次のような問題点があった。
葉書やＦＡＸ送信用の用紙を挿入した場合、１度利用してしまうと古本市場からその書籍を購入した者は、著者からの追加情報が得られにくかった。また著者のホームページアドレスを掲載しておいただけでは、ホームページ自体が、その書籍の購入の有無とは関係なく閲覧できるため、書籍を購入するための動機付けとしての役割ははたさなかった。さらにこれまでの書籍では古本市場に流れることを防止するためのてごろな対策が施されていなかったため、新本が売れなくなる理由にもなっていた。
本考案は、以上のような欠点をなくすためになされたものである。
【課題を解決するための手段】
【０００４】  そこで本考案は、前記従来の問題点に鑑みてなされたものであって、著者のウェブサイトにアクセスするための、パスワードを指示するための乱数表を掲載したことを特徴とする書籍である。
【考案の効果】
【０００５】  書籍にパスワードを指示するための乱数表を記載することにより、著者は、追加情報を掲載しているウェブサイト上の当該ページにアクセスするためのパスワードを随時変更して指示することができる。そのため、乱数表の記載された書籍を所持していなければ、追加情報を得ることができないため、本考案は著者のホームページアドレスだけを記載した書籍にくらべ、高い購入動機づけになる。また、書籍の継続所持を要求する効果も与えるため、中古市場に書籍を流すことへの防止効果がある。そのため間接的に新本書籍の販売力を高めることになる。また例え中古市場に流れた場合でも、葉書の挿入等の場合と異なり、乱数表の記載された書籍自体を所持していれば、古本購入者も新本購入者と同等に追加情報が得られる。
【考案を実施するための最良の状態】
【０００６】  以下、本考案の実施例について説明する。
パスワードを指示するための乱数表を書籍の裏表紙に記載する。そして記載箇所の付近に、ホームページ上で、この乱数表をもとに指示したパスワードを入力すれば、著者からの追加情報が得られる画面にアクセスできる旨を記載しておく。また、パスワードは随時変更されるため、この乱数表を掲載した書籍を継続所持していなければならないことも記載しておく。
【０００７】パスワードの指示の仕方の例としては、図１のように縦横ともに複数行の乱数表を用いる場合なら、４行目の３列目から右に向かい４つの数字などと指示する。
【０００８】なお、アクセスのために乱数表を利用いる対象はパスワードのほかＩＤ、その他別の用途で用いる場合も含む。乱数表に用いるものは、数字のほか文字や記号であってもよい。乱数表内の数字等の配列表示方法、書籍内の乱数表示場所、乱数表の色、パスワードの指示の仕方を問わない。乱数表の記載場所は、書籍本体のほかブックカバーも含む。
【０００９】たくさんの著書のある著者は、１冊ごと異なる乱数表を用いてもよいし、出版ジャンル別に乱数表を使い分けてもよい。また、複数の著者と共同で同一の乱数表を用いるものでもよく、１冊の書籍の中で複数の著者が複数の乱数表を使い分ける場合も含む。パスワードを指示するものは、著者や編集者に限らずホームページ管理者も含む。
【００１０】著者のウェブサイトには、著者の指定する著者以外の管理するサイトも含まれる。
【００１１】書籍は商業出版書籍のほか雑誌を含む。
【図面の簡単な説明】
【００１２】
【図１】本考案を書籍の裏表紙に施した場合の実施例を示す図である。
【図２】横１列のみを乱数にした乱数表の例を表した図である。
【図１】
0003124334.tif 000003
【図２】
0003124334.tif 000004
【手続補正書】
【提出日】平成18年6月6日(2006.6.6)
【手続補正１】
【補正対象書類名】実用新案登録請求の範囲
【補正対象項目名】全文
【補正方法】変更
【補正の内容】
【実用新案登録請求の範囲】
【請求項１】
著者のウェブサイトにアクセスするための、パスワード指示用乱数表を記載したブックカバーと、書籍本体との組み合わせからなる書籍。
【手続補正２】
【補正対象書類名】明細書
【補正対象項目名】０００４
【補正方法】変更
【補正の内容】
【０００４】
そこで本考案は、前記従来の問題点に鑑みてなされたものであって、著者のウェブサイトにアクセスするための、パスワード指示用乱数表を記載したブックカバーと、書籍本体との組み合わせからなる書籍である。
【手続補正３】
【補正対象書類名】図面
【補正対象項目名】図１
【補正方法】変更
【補正の内容】
【図１】
0003124334.tif 000005
(57)【要約】      （修正有）【課題】財布・名刺入れ・クレジットカードケース等をポケット・カバン等に固定する為の貴重品ホルダーを提供する。【解決手段】クレジットカード位の大きさのカードの角にストラップを付けて、財布・名刺入れ・クレジットカードケース等のカードを入れる所にカードを入れて、ストラップでポケット・カバン等に固定し、ポケット・カバン等から落ちない様に固定する。汎用性に富み、且つ、容易に着脱出来る貴重品ホルダー。【選択図】図１
0003124332.tif 000002
【実用新案登録請求の範囲】
【請求項１】
クレジットカード位の大きさのカードの角にストラップを付けて、財布・名刺入れ・クレジットカードケース等のカードを入れる所にカードを入れて、ストラップでポケットカバン等に固定し、ポケット・カバン等から落ちない様に固定する。汎用性に富み、且つ、容易に着脱出来る貴重品ホルダー。
【考案の詳細な説明】
【技術分野】
【０００１】  本考案は、財布・名刺入れ・クレジットカードケース等をポケット・カバン等に固定する為の貴重品ホルダーである。
【背景技術】
【０００２】  財布・名刺入れ・クレジットカードケース等に固定する器具が付いていない場合、そのままポケット・カバン等に入れていた。その為、知らぬ間に落としてしまう事がある。
【考案の開示】
【考案が解決しようとする課題】
【０００３】  財布・名刺入れ・クレジットカードケース等のカードを入れる所に貴重品ホルダーのカード部分を入れ、ストラップでポケット・カバン等に固定する。すでに市販された財布・名刺入れ・クレジットカードケース等にも使える用に汎用性を持たせ、且つ、容易に着脱出来る様にして、上記の問題点を解決しようとするものである。
【課題を解決するための手段】
【０００４】  本考案は、カードにストラップを付けた貴重品ホルダーを、財布・名刺入れ・クレジットカードケース等のカードを入れる所にカード部分を入れて、ストラップでポケット・カバン等に固定する。
【考案の効果】
【０００５】  上述の様に、財布・名刺入れ・クレジットカードケース等のカードを入れる所に、ストラップが付いたカードを入れストラップで、ポッケト・カバン等に固定するだけで、ポケット・カバン等に固定され、知らぬ間に落とす事がなくなり、且つ、すでに市販されている財布・名刺入れ・クレジットカードケース等にも使え、しかも着脱も容易にできる。
【考案の実施するための最良の形態】
【０００６】  クレジットカード位の大きさのカードの角にストラップを付ける。図１に示す。
【図面の簡単な説明】
【０００７】
【図１】本考案の貴重品ホルダーの外形図です。
【符号の説明】
【０００８】  １．ストラップ  ２．カード
【図１】
0003124332.tif 000003
【手続補正書】
【提出日】平成18年5月9日(2006.5.9)
【手続補正１】
【補正対象書類名】実用新案登録請求の範囲
【補正対象項目名】全文
【補正方法】変更
【補正の内容】
【実用新案登録請求の範囲】
【請求項１】
クレジットカード位の大きさのカードの１角の穴に、先端が固定可能なストラップを取り付けてある構造を有する貴重品ホルダー。
(57)【要約】      （修正有）【課題】ゴミ袋内の隙間を容易に確保することが可能なゴミ箱の提供。【解決手段】ゴミ箱自体にクリップ２によってゴミ袋の隅を固定させるようにし、別個になったゴミ箱の正面と背面部をコネクターまたはベルトによってつなげて、正面と背面との距離を可変として、コネクターまたはベルトの操作によりゴミ袋の圧縮を行うことが出来るゴミ箱。ゴミ袋の手前側に隙間が発生するため、そこへ新たなゴミを入れることができる。【選択図】図１
0003124333.tif 000002
【実用新案登録請求の範囲】
【請求項１】
この仕組み全体または一部をゴミ箱として使用すること
【考案の詳細な説明】
【技術分野】
【０００１】
日用品に関する
【背景技術】
【０００２】
一般家庭には、圧縮機構のついたゴミ箱が普及していない。
【特許文献１】なし
【考案の開示】
【考案が解決しようとする課題】
【０００３】
一般的ゴミ箱と変わらない価格帯で圧縮機構を持つゴミ箱を提供する。
【課題を解決するための手段】
【０００４】
ゴミ箱の側面を3枚の部材にし、それらを独立させることにより、前面と背面が動けるようにする。回転レバーで側面を縮めるようにして、結果その前面を背面に向けて押さえつけるようにする。次にレバーを戻し、再び前面と背面を広げるようにする。そうすることで、ゴミ袋の手前側に隙間が発生するため、そこへ新たなゴミを入れられる。
【考案の効果】
【０００５】
ゴミ袋が自治体で有料化されているところが増えてきており、その使用を節約することは生活する上での課題となっている。この考案により、ゴミ、ゴミ袋に直接手を触れずその圧縮が行えるゴミ箱が一般家庭へ提供できる。
【考案を実施するための最良の形態】
【０００６】
ゴミ箱を、ゴミ袋の容量に合わせたサイズと限定させる。袋のいわゆる取っ手部分を図１の１のようにゴミ箱のサイド側へひっかける機構をつける。そして、ゴミ袋の中央2箇所の伸びている「耳」部分をゴミ箱前面背面に付けた図１の２のクリップにはさむこととする。自治体ゴミ袋のその耳部分に、丸い穴が開いていることが浸透している場合なら、そのクリップの代わりにフックを付けることで済む。
【０００７】
ゴミが袋にある程度の量がたまった段階で、圧縮機構を使用する。本体サイドに設置した図１の３の回転式の操作部で、それが上下の４と５のコネクション部に作用させる回転棒である６を回し、そのコネクション部の作用により７と８の、右側面から背面を渡り左側面までの調節部に伸縮の動作をさせる。その調節部は右左にある一番手前の側板、この図面では右側面の９と密着していることにより、その伸縮によって、ゴミ箱前面と背面が近づくことになり、結果ゴミ袋が圧縮されることとなる。９、１０、１１の側面は各々が独立した状態となっていて、中央の１０部分は、袋の耳部分へのクリップを設けることから側面の一番外側へ出ている必要がある。
【０００８】
圧縮をしたあと、ハンドルを逆方向に回すことでゴミ袋内にある程度の隙間ができ、そこへ新たなゴミ袋を入れることが出来る。その際、ゴミ箱の前面へ隙間が出来るよう、側面奥の１１部はゴミ箱底面と連結している必要がある。そのことにより、ゴミ箱前面と一体化している９部は、圧縮動作により前面を背面に向けて押していく結果となり、またゴミ箱自体の設置上の安定性にもつながる。
【０００９】
そして、ゴミを入れ終わったあと、また強めに圧縮しておくことにより、次回のゴミ入れの時までにゴミ自体にその圧縮作用が継続して促され、楽に袋内の隙間を確保することが出来る。
【実施例】
【００１０】
この圧縮動作により、ゴミが台所から発生する生ゴミであった場合は７０〜８０％程度、リビングなどで発生する乾燥ゴミであった場合は４０％から６０％の割合で圧縮が可能だと推測される。
【００１１】
ふたは圧縮した際にも、天面とぶつかる左右側面の上部が平面になっているため、常に使用することが出来る。図１で示したふたは、前面のペダル12によって開閉できるものである。この位置にふたがあることで、背面側のゴミ袋の耳の取り付けを可能にする。また、そのふたは本体左側面の一番手前側に付いている。
【産業上の利用可能性】
【００１２】
これは、現代社会が求める必至の方法論である。
【図面の簡単な説明】
【００１３】
これは、一般的な可燃ごみ用の収集袋である45リットルの大きさに合わせたゴミ箱である。以下が各部の働きの説明である。１：ゴミ袋の取っ手部分の引っ掛け部  ２：ゴミ袋中央上に伸びた耳部分のクリップ  ３：圧縮調整の操作レバー  ４：調整用上ベルトと回転棒のコネクション  ５：調整用下ベルトと回転棒のコネクション  ６：調整用回転棒  ７：圧縮調整ベルト上部  ８：圧縮調整ベルト下部  ９：側面の手前板  10:側面の中央板  11：側面の奥板と底面  12:フタ開け用ペダル
【図１】
0003124333.tif 000003
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱自体に、ゴミ袋の４隅を固定させるようにし、ゴミ箱の正面と背面との距離を可変にすることによって、ゴミ袋の圧縮を行えるようにする構造を有するゴミ箱
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱自体に、クリップやフックによってゴミ袋の隅を固定させるようにし、別個になったゴミ箱の正面と背面部をコネクターまたはベルトによってつなげて、正面と背面との距離を可変として、コネクターまたはベルトの操作によりゴミ袋の圧縮を行えるゴミ箱
(57)【要約】      （修正有）【課題】現代のピアノ、鍵盤演奏のスタイルに束縛されない新たな方向性の提示と東洋文化の普及。【解決手段】ピアノ、電子ピアノ、キーボード楽器における鍵盤配置の発想を転換する。手前側の白色、奥側の黒色の鍵盤を逆に割り当てるようにする。そのことによって、手前側になった鍵盤が中国音階、また日本の陽音階として確定されることになり、その部分だけで演奏することの表現性は、西洋音楽にはありえない東洋独特の主張を持つ。そして演奏する際、特別高度な技能がなくても、誰でも割合気軽に音楽を表現することが可能である。 【選択図】図１
0003124336.tif 000002
【実用新案登録請求の範囲】
【請求項１】
従来の楽器鍵盤の奥と手前を反対に配置すること 
【考案の詳細な説明】
【技術分野】
【０００１】楽器分野に属する
【背景技術】
【０００２】従来のピアノ、キーボード楽器の鍵盤配置は西洋音階のメジャースケールが基本、優先になっている。【特許文献１】なし
【考案の開示】
【考案が解決しようとする課題】
【０００３】従来の西洋の音階にとらわれない音楽の育成
【課題を解決するための手段】
【０００４】楽器鍵盤手前の白色部分にあたる「ドレミファソラシド」の鍵盤を奥側に配置し、従来の黒鍵部分を手前に配置させる。
【考案の効果】
【０００５】演奏時、初級者でも手軽に弾ける手前側の鍵盤にアジアンテイストな音階が並ぶことで、弾く者にとって自然に東洋の音楽のエッセンスを堪能することが出来る。従来鍵盤での黒鍵に相当する音階は、転調をしているものの、「C,D,E,G,A,C」と並ぶ中国音階と合致したものであり、その音階は「D,F,G,A,C,D」である日本の陽音階を「F,G,A,C,D,F」というようにずらすことで、転調はしているもののそのハーモニー自体は、両者とも完璧に合致している。本考案鍵盤を用いて、同じハーモニーを従来の鍵盤方式で奏でると、常に奥に引っ込んだ細い黒鍵を弾かなくてはいけないのと、それらの黒鍵が存在していない白鍵盤ミ、ファの間と、シ、ドの距離間に不規則な黒鍵盤どうしの距離が発生しているといった理由により、プロの演奏家でもかなり不自由な動作を強いられることになる。本考案鍵盤では、無理のない自然な指の移動感を伴って、西洋音楽とはまったく趣きを異にした音楽を奏でることが出来る。その「趣き」とは日本人が感じることのできる古来の優雅さに近い。【０００６】また、「ドレミファソラシド」の音階では音が複雑に絡みすぎているという考え方もある。要するに、「ミファ」と「シド」が半音階で成り立っているため、例えば「ド、レ、ラ、シ」のように移動、またはその和音の場合のように、響きが不協和音になる可能性が必ずどこかで付き纏っている。そのことが、初心者に対して演奏の取っつきにくさを抱かせる要因になっているとも言える。それに対して、本考案鍵盤は転調しているものの、手前鍵盤の響きは「ドレミソラド」の関係性で成り立っており、それらの音は指がどうやって移動してもハーモニーのある音楽として成り立つ可能性が高い。また和音を構成する際も個々の相性がいいもので揃っている。気軽に音楽に接するために有利な方法論は実はこちらの方で、さらにそれは音楽としての強烈な個性を放っている。
【考案を実施するための最良の形態】
【０００７】図１のような鍵盤配置とする。一般鍵盤との混用、混乱を招かないためにも手前鍵盤部分を黒色、または例えば漆塗り、木目スタイルといったように既存の発想の転換をアピールすることが効果的である。【０００８】奥側鍵盤に半音階の鍵盤がくっついて並ぶことになるため、誤操作を防ぐ目的で、図１の１、２であるミとファの鍵盤、５、６であるシとドの鍵盤は、少しの離れた距離が必要になる。また３、４を含む奥側鍵盤すべてを、一般の黒鍵盤より細い幅にする必要も出てくる。こうすることで、使用上の基本となる手前鍵盤が均等の幅で横1列に並び、それらを指の太さに合った幅にすることが可能になる。なお、奥側の鍵盤は音楽という意味合いで演奏する際には、それほど重要性を持っていない。
【産業上の利用可能性】
【０００９】これが製品として供給された場合の影響力は、娯楽、芸術文化からさらに思想まで及ぶ可能性がある。それは国際レベルでの認知が可能である。
【図面の簡単な説明】
【００１０】
【図１】は、2オクターブに限ってその内の鍵盤配置を示したものである。鍵盤上に書いてある音階が、鍵盤を叩くことによって鳴るようになる。
【図１】
0003124336.tif 000003
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
従来の楽器鍵盤の奥と手前を、奥手前反対に配置することにより、日本の陽音階、中国音階での手軽な演奏を可能にした楽器鍵盤
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
楽器鍵盤の黒鍵にあたる奥の鍵盤と白鍵盤にあたる手前の鍵盤を、奥を白鍵盤に相当する音配置、手前を黒鍵に相当する音配置に鍵盤上で並べることにより、従来の黒鍵部分によって表されている日本の陽音階、中国音階を用いての手軽な演奏を可能にした楽器鍵盤
(57)【要約】      （修正有）【課題】入浴の際に、バスタブ内に存在する髪の毛などを取り除けるフィルターネットを提供する。【解決手段】風呂釜のサイズに合うように、ろ過フィルター面の幅を調節可能とする。バスタブ側面と底面に対し平行面とさせたＬの字型のネットフィルターとし、さらに、そのサイド側にもフィルター面を設ける。用具本体の取っ手部分を用いて、一回バスタブ内を通過させるだけで、お湯の中の髪の毛などの浮遊物をすくい出せるようにする。 【選択図】図１
0003124337.tif 000002
【実用新案登録請求の範囲】
【請求項１】
バスタブの底面と側面に平行の配置としたフィルター部をバスタブサイズに合わせ、風呂釜内をすくい出す目的の製品を作ること
【考案の詳細な説明】
【技術分野】
【０００１】
家庭日用品に関わる
【背景技術】
【０００２】
手軽に使える風呂用の、ろ過フィルターが普及していない。
【特許文献１】なし
【考案の開示】
【考案が解決しようとする課題】
【０００３】
1000円程度で販売可能な入浴時バスタブ内の清掃用具を提供する。
【課題を解決するための手段】
【０００４】
風呂釜のサイズに合うようにろ過フィルター面の幅を調節可能とする。そして、Ｌの字型にネットフィルターをすることで、一回お湯内を通過させるだけで、お湯の中の髪の毛など浮遊物をすくい出せるようにする。
【考案の効果】
【０００５】
大家族や集団生活などにおける風呂使用では、最後の順番で風呂に入る場合、バスタブ内の汚れが目に付く場合がある。しかも、それはバスタブの内部にバラバラに散って浮遊していることが多いために、なかなか全てを取り除くことが出来ない。そういった場合にこのアイテムは、単純にお湯の中をくぐらせるだけで汚れを取り除くことが出来る。また、残り湯を洗濯などで使う場合にも利用できる。
【考案を実施するための最良の形態】
【０００６】
図１の１の位置でフィルターが重なるように、フィルターを２つ合わせたような形状にし、その１の部分を広げたり縮めたりできるよう調節可能にする。そのことで、一般家庭の大半のバスタブサイズに対応できる。
【０００７】
図１の２の面は、バスタブの底面を這わせるフィルターの部分である。こうすることで、３の取っ手の部分をバスタブの左から右へと動かし、最後それを上に取り上げ、すくい出す一回の行為で、大半の浮遊物がフィルターに取り込めることとなる。
【０００８】
さらに、図１の４と５のように、バスタブ奥側と手前側に合わせられるように、フィルター面を追加することで、より確実にその全てを摂取できる可能性が増える。主要なフィルター面である６と２の面と、４、５の面どうしを折り曲げられる構造にすることで、使用しない時にその部分が折りたためて、小さくまとめることが可能である。
【０００９】
また、これらフィルターとそれを囲むポリプロピレン部、取っ手部分を抗菌加工することで、使用することの清潔感につながる。
【実施例】
【００１０】
２，４，５，６のフィルター面の周囲にポリプロピレンで囲いをつくり、７の位置で３の取っ手部分と同一化させる。
【産業上の利用可能性】
【００１１】
この企画が商品化され、一般に流通することによって産業上利用できる。
【図面の簡単な説明】
【００１２】
以下は、図面各部を説明したものである。
１．バスタブ側面の寸法に合わせるための、ろ過フィルター本体幅の調節部
２．バスタブ底面に合わせるフィルター部
３．本体取っ手部分
４．バスタブ奥側に合わせるフィルター部
５．バスタブ手前側に合わせるフィルター部
６．バスタブ側面に合わせるフィルター部
７．フィルター面と取っ手の接合部
【図１】
0003124337.tif 000003
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
バスタブの底面と側面に平行の配置としたフィルター部をバスタブサイズに合わせ、風呂釜内の浮遊物をすくい出す目的のバス用器具
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
バスタブの底面と奥と手前、そして片側の側面に合わせた面を持つ複数のフィルター部を一体化させ、水の入ったバスタブ内をくぐらせることで、風呂釜内の浮遊物をすくい出すことの出来る風呂用ろ過フィルターネット
(57)【要約】      （修正有）【課題】人力・石油・電力等のエネルギーを使うことなく雪の重みを利用して屋根の除雪が出来る装置の提供。【解決手段】降り積もる雪の重みを利用して屋根に降り積もった雪をスプリングの反発利用で一挙に雪崩現象的に除雪することが可能となった。今後は除雪の人災や家屋の倒壊等の雪害防止の目的を達成する事が出来た。【選択図】図３
0003124316.tif 000002
【実用新案登録請求の範囲】
【請求項１】
雪受け羽根を取り付けた回軸盤に回軸ボルトを接続しその同軸ボルトの中間点には玉軸受けを軸受は支柱で支える。同軸ボルトの先端に円盤を設置し円盤の一部に空転金具をボルトで空転可能常態に取り付ける。その空転金具には連結紐でスプリングと結びつけ一体とする。なお、空転金具が上下に移動できる溝を設置したことを特徴とした雪下ろし装置。
【考案の詳細な説明】
【技術分野】
【０００１】  本考案は雪の重みを利用して屋根上の積雪を一挙に除雪する装置に関するものである。
【背景技術】
【０００２】  今までは屋根の積雪を下ろす方法としては、従来も今も人が屋根に上ってスコップ等の道具を使って人力で雪を下ろす方法が主である。
【考案の開示】
【考案が解決しようとする課題】
【０００３】  従来例で示した人力で雪を下ろす方法は、労力を要するだけでなく危険が伴う作業であり、屋根に水を流す方法は、地下水利用では地盤沈下を伴う欠点もあった。
本考案はこのような不具合を解消するためのものであり、人力や動力を要することなく、積雪の重みを利用して屋根から雪を滑降させることのできる装置の提供を目的ととする。
【課題を解決するための手段】
【０００４】  上記不具合を解決するための本考案は次のような構成としている。回動可能な状態で軸支させた雪受け板には同軸回転盤を同一とする。その回転盤の一部に空転金具を設置。その空転金具より紐でスプリングと連動する。降雪の重みで雪受け羽根が回転することでスプリングが段々と伸び中心点を通過と同時にスプリングの反発で衝撃となって板上の雪は一挙に屋根から落下する。屋根上には、雪が滑りやすい材質のポリプロピレン（ＰＰ）の滑降体を全面に覆うからなる。
【考案の効果】
【０００５】  この考案により人力・石油・電力等の動力源を用いることなく、降雪の重みが動力源であり、雪をもって雪を制する装置に関する。
【考案を実施するための最良の形態】
【０００６】  この考案の実施例を図面（図１）に基づいて説明する
１、雪受羽根主回転盤と同軸ボルト締め付けナット
２、２〜１より２〜７までが降雪受羽根主回転盤が回転動力源となる
３、主回転盤、軸受け等の支持支柱
４、軸受け        ５、回動金具ボルト
６、同軸回転盤    ７、空転金具とスプリング連結紐
８、空転金具上下動調整後の止めボルト
９、空転金具上下移動溝は、中心点に近いほど、スプリングの伸びが少なく反動が小さく遠いほど多く伸びて反動も大きくなる
１０、縦用スプリング    １１、横用スプリング
１２、スプリングよりの振動伝達版
【図面の簡単な説明】
【０００７】
【図１】本考案の分解斜視図である
【図２】本考案の全体図と側面図である
【図３】本考案のスプリング反発震動落雪作動図と滑降体平面図である
【符号の説明】
【０００８】１、締め付けナット
２、雪受け回転板
３、軸受支持支柱
４、同軸軸受
５、同軸回転ボルト
６、同軸回転盤
７、空転金具とスプリング
８、空転金具取付けボルト
９、空転金具上下移動溝
１０、震動板用縦スプリング
１１、震動板用横スプリング
１２、スプリング反動時による震動伝達板
【図１】
0003124316.tif 000003
【図２】
0003124316.tif 000004
【図３】
0003124316.tif 000005
【手続補正書】
【提出日】平成17年12月29日(2005.12.29)
【手続補正１】
【補正対象書類名】実用新案登録請求の範囲
【補正対象項目名】全文
【補正方法】変更
【補正の内容】
【実用新案登録請求の範囲】
【請求項１】
降る雪の重みを利用して屋根上に降り積る雪を除雪することを目的とした装置であり、雪受け羽根を取り付けた主回転盤に雪が降り積り其の雪の重みで同軸回転盤の回転が始まると同時に同軸回転盤の一部に取り付けた空転金具にはスプリングと連結紐で結ぶことで装置の連係を成し得ることができ、雪受け主回転盤が動力源で連動の同軸回転盤が回転始めると回転盤に取り付けた空転金具と連結紐の連動に依ってスプリングの引き伸ばしが始まり同軸回転盤が半回転中心点通過と同時にスプリングの反復運動が起き屋根裏に設置のスプリングに往復振動が起きて伝わり屋根上の雪を一挙に落雪することができる除雪装置。
(57)【要約】      （修正有）【課題】温めた柔らかい球体を使って、温めながら身体のどこの部位でも筋肉や筋をリラックスさせ、ほぐしながらく、マッサージ・ストレッチ・トレーニング・リハビリテーションに活用できるマッサージ器具・トレーニング器具を完成する。【解決手段】全身の各部位を温めながらマッサージ・ストレッチ・トレーニング・リハビリテーションに活用することを目的とするホットマッサージボールは、各種の弾力性素材で形成された中空の球体１の中に、各種液体・ゾル・ゲル性の弾性流動体等、各種充填物２を充填封入されており、電子レンジや湯につけることによって温めることができる。【選択図】図１
0003124320.tif 000002
【実用新案登録請求の範囲】
【請求項１】
各種の弾力性素材で形成された中空の球体の中に、各種液体・ゾル・ゲル性の弾性流動体等、各種充填物を充填封入し、家庭用電子レンジや湯につけることにより温めて使用することを特徴とするホットマッサージボール。
【請求項２】
家庭用電子レンジで、転がらないように固定用のリングに本体をのせて温められることを特徴とするホットマッサージボール。
本体は家庭用電子レンジに入れられるように直径７ｃｍから１２ｃｍのサイズに形成されている。
【考案の詳細な説明】
【技術分野】
【０００１】本考案は、全身のどこの部位でも、温めながらマッサージをしたり、各種トレーニングやストレッチ、リハビリテーションに活用するマッサージ器具・健康器具に関する。
【背景技術】
【０００２】球体や半円球のトレーニング器具やマッサージ器具が使用されている。また、顔や首・肩、腰、足裏等、各部位ごとに使用できる各種のマッサージ器具が使用されている。
【考案の開示】
【考案が解決しようとする課題】
【０００３】球体や半球体の各種トレーニング器具やマッサージ器具や、その他の指圧の代わりになる各部位ごとのマッサージ器具や、電動で温めながらマッサージする健康器具等があるが、これらは力の加え方や使用時間の加減をしないと、かえって身体に過度な刺激を与えたり、筋や筋肉に無理な負担をかけてしまう結果になりかねない。そこで考案者は、温めた柔らかい球体を使って、温めながら身体のどこの部位でも筋肉や筋をリラックスさせ、ほぐしながらマッサージができ、老若男女を問わず安全に無理なく、時間制限もなく、マッサージ・ストレッチ・トレーニング・リハビリテーションに活用できるマッサージ器具・トレーニング器具を完成したものである。
【課題を解決するための手段】
【０００４】各種の弾力性素材で形成された中空の球体の中に、各種液体・ゾル・ゲル性の弾性流動体等、各種充填物を充填封入しているホットマッサージボールは、家庭用電子レンジや湯につけることによって温めることができる。【０００５】家庭用電子レンジに入れられるように直径７ｃｍから１２ｃｍのサイズに形成されており、家庭用の電子レンジで温める際は、転がらないように固定用のリングに本体をのせ、高周波出力５００〜６００Ｗの家庭用電子レンジで３〜４分温める。
【考案の効果】
【０００６】本考案におけるホットマッサージボールは、温かくした柔らかい球体で全身のどこの部位でも温めながらマッサージ・ストレッチ・トレーニング・リハビリテーションに活用できる。
【考案を実施するための最良の形態】
【０００７】ホットマッサージボールを家庭用電子レンジ（高周波出力５００〜６００Ｗ）で約３〜４分温めて、お腹や腰、首などに転がしたり、体重をかけて押しつけたりしてマッサージする。【０００８】また、家庭用電子レンジで温めたホットマッサージボールを布団の中に入れて身体の各部位にあてたり転がしてマッサージしたり、入れておくだけでも身体を温かく保温することができる。
【図面の簡単な説明】
【０００９】
【図１】本考案の実施の一例としてホットマッサージボールを示す断面図。
【図２】本考案の実施の一例としてホットマッサージボールを家庭用電子レンジで温める際の設置例。
【符号の説明】
【００１０】  １  本体
２  内部充填物
３  充填封入口
４  家庭用電子レンジ
５  電子レンジ固定リング
【図１】
0003124320.tif 000003
【図２】
0003124320.tif 000004
【手続補正書】
【提出日】平成18年3月15日(2006.3.15)
【手続補正１】
【補正対象書類名】実用新案登録請求の範囲
【補正対象項目名】請求項２
【補正方法】変更
【補正の内容】
【請求項２】
請求項１記載のホットマッサージボールは、家庭用電子レンジで、転がらないように固定用のリングに本体をのせて温められることを特徴とする。
【手続補正書】
【提出日】平成18年5月18日(2006.5.18)
【手続補正１】
【補正対象書類名】実用新案登録請求の範囲
【補正対象項目名】請求項２
【補正方法】変更
【補正の内容】
【請求項２】
家庭用電子レンジで、転がらないように固定用のリングに本体をのせて温められることを特徴とする請求項１記載のホットマッサージボール。
(57)【要約】      （修正有）【課題】足元から暖まり、トイレの室内空間全体も暖房することが可能なトイレの提供。【解決手段】電気カーペットをトイレ用のマットの形状に加工し、温度コントローラー兼スイッチボックスを経由して電気プラグを取り付けたトイレ用のマット兼用暖房器具を考案することにより課題の解決を図る。【選択図】図１
0003124376.tif 000002
【実用新案登録請求の範囲】
【請求項１】
電気カーペットをトイレ用のマットの形状に加工し、電源用の電気コードを取り付け、温度コントローラー兼スイッチボックスを経由して、先端に電気プラグを取り付けた、トイレ用のマット兼用暖房電気カーペット。
【考案の詳細な説明】
【技術分野】
【０００１】本考案は、トイレの暖房用電気カーペットに関するものである。
【背景技術】
【０００２】従来、冬期の暖房の無いトイレでは寒く、健康にも好ましいものではなかった。
【考案の開示】
【考案が解決しようとする課題】
【０００３】冬期の暖房の無いトイレでは、暖房便座があっても足元は寒く、トイレの室内空間全体が暖まる装置ではなかった。
【課題を解決するための手段】
【０００４】そこで、従来からある電気カーペットをトイレ用のマットの形状に加工して、トイレマットも兼ねたトイレ用暖房電気カーペットを考案した。
【考案の効果】
【０００５】これによって、足元から暖まり、トイレの室内空間全体も暖房することが可能となる。
【考案を実施するための最良の形態】
【０００６】トイレ用のマットの形状に電気カーペットを加工（１）し、電源用の電気コード（２）を取り付け、温度コントローラー兼スイッチボックス（３）を経由して、先端に電気プラグ（４）を取り付ける。
【図面の簡単な説明】
【０００７】
【図１】本考案のトイレ用マット兼用暖房電気カーペットの形状図である。
【符号の説明】
【０００８】１    トイレ用のマット兼用暖房電気カーペット
２    電気コード
３    温度コントローラー兼スイッチボックス
４    電気プラグ
【図１】
0003124376.tif 000003
(57)【要約】【課題】  従来の発光ダイオードを使った懐中電灯は発光ダイオードを基板に取付けたものや、発光ダイオードの電極の間にボタン電池を挾み込んで点灯するものしかなく、従来の電球のように容易に球切れ交換ができず、従来の電球のようにソケットに取付け、取外しすることができるものはなく不便であった。【解決手段】  発光ダイオード１を口金２に設ける。  発光ダイオード１にはスペーサー３を設ける。  口金２には絶縁体４と接点５を設ける。  上記のことにより課題を解決する。【選択図】図２
0003124372.tif 000002
【実用新案登録請求の範囲】
【請求項１】
発光ダイオードを口金に設けた発光ダイオード電球。
【考案の詳細な説明】
【技術分野】
【０００１】  本考案は、発光ダイオードを使用した電球に関するものである。
【背景技術】
【０００２】  従来の発光ダイオードを使った懐中電灯は発光ダイオードを基板に取付けたものや、発光ダイオードの電極の間にボタン電池を挾み込んで点灯するものしかなく、従来の電球のようにソケットに取付け、取外しすることができるものはなかった。
【考案の開示】
【考案が解決しようとする課題】
【０００３】  従来は次のような欠点があった。
従来の発光ダイオードを使った懐中電灯は発光ダイオードを基板に取付けたものや、発光ダイオードの電極の間にボタン電池を挾み込んで点灯するものしかなく、従来の電球のように容易に球切れ交換ができず、従来の電球のようにソケットに取付け、取外しすることができるものはなく不便であった。
本考案は、この欠点を除くためになされたものである。
【課題を解決するための手段】
【０００４】  発光ダイオードを口金に設ける。
発光ダイオードにはスペーサーを設ける。
口金には絶縁体と接点を設ける。
本考案は、以上のような構成からなり、発光ダイオードを口金に設けたことにより問題点を解決している。
【考案の効果】
【０００５】  発光ダイオードを口金に設けたことにより、従来の電球のようにソケットに取付け、取外しすることができるので、容易に点灯、球切れ交換をすることができる。
発光ダイオードを口金に設けたことにより、従来の電球を使用している懐中電灯を発光ダイオード電球に容易に交換することができる。
【考案を実施するための最良の形態】
【０００６】  発光ダイオードを口金に設ける。
発光ダイオードにはスペーサーを設ける。
口金には絶縁体と接点を設ける。
【実施例】
【０００７】  以下、本考案の実施例について説明する。
発光ダイオード１を口金２に設ける。
発光ダイオード１にはスペーサー３を設ける。
口金２には絶縁体４と接点５を設ける。
発光ダイオード１はいろいろな形状の口金に設けることにより多種多様にできる。
【図面の簡単な説明】
【０００８】
【図１】本考案の側面図である。
【図２】本考案の側面の断面図である。  各図の各部において主要部以外は省略している。
【符号の説明】
【０００９】１  発光ダイオード
２  口金
３  スペーサー
４  絶縁体
５  接点
【図１】
0003124372.tif 000003
【図２】
0003124372.tif 000004